(57)【要約】【課題】カバーの取り付けを容易にする。【解決手段】カバー７０は、太陽電池アレイ２００の側縁部を覆うカバー本体７１と、カバー本体７１から壁部１２の凹部１００へ向けて突出して壁部１２の凹部１００に挿入される突出部７２とを有している。そして、カバー７０は、突出部７２が壁部１２の凹部１００に挿入された状態でカバー本体７１が太陽電池アレイ２００の側縁部に取り付けられる。【選択図】図７
2020072612.tif 000002
【特許請求の範囲】
【請求項１】
凹部が形成された壁部に設けられる太陽電池ユニットであって、
複数の太陽電池モジュールと、前記壁部に固定されて前記複数の太陽電池モジュールが前記壁部との間に間隔をおいて前記壁部の一方端から他方端へ向かう第１方向に並ぶように前記複数の太陽電池モジュールを支持する架台とを有する太陽電池アレイと、
前記太陽電池アレイの前記第１方向と直交する第２方向における縁部である側縁部に設けられるカバーとを含み、
前記カバーは、前記太陽電池アレイの側縁部を覆うカバー本体と、前記カバー本体から前記壁部の凹部へ向けて突出して前記壁部の凹部に挿入される突出部とを有し、前記突出部が前記壁部の凹部に挿入された状態で前記カバー本体が前記太陽電池アレイの側縁部に取り付けられる太陽電池ユニット。
【請求項２】
請求項１に記載された太陽電池ユニットにおいて、
前記カバー本体には、該カバー本体の内側面と前記壁部と前記複数の太陽電池モジュールとに囲まれた内部空間から該カバー本体の外側面に面する外部空間に至るまでを連通させる複数の通気孔が設けられている太陽電池ユニット。
【請求項３】
請求項１または２に記載された太陽電池ユニットにおいて、
前記突出部は、弾性を有し、自身の一部が折り返されることで形成された板バネ形状部分を含み、該板バネ形状部分が圧縮された後に復元して前記壁部の凹部に固定される太陽電池ユニット。
【請求項４】
請求項１または２に記載された太陽電池ユニットにおいて、
前記突出部は、前記壁部の凹部の内面に引っ掛かる爪状部分を含んでいる太陽電池ユニット。
【請求項５】
請求項１〜４のいずれか１つに記載された太陽電池ユニットにおいて、
前記架台は、前記第１方向に沿うように配置されて前記太陽電池アレイの側縁部を構成する線状のサイド縦軸材を有し、
前記カバー本体は、前記サイド縦軸材に取り付けられる太陽電池ユニット。
【請求項６】
請求項５に記載された太陽電池ユニットにおいて、
前記サイド縦軸材は、複数のサイド柱部材により構成され、
複数のサイド柱部材は、線状に形成され、それぞれが導電性を有して前記第１方向に沿うようにして、それぞれの間に隙間を隔てて前記第１方向に並んで配置され、
前記カバー本体は、導電性を有し、前記複数のサイド柱部材に取り付けられる太陽電池ユニット。
【請求項７】
凹部が形成された壁部と、
前記壁部に設けられる太陽電池ユニットとを含む建築物であって、
前記太陽電池ユニットは、請求項１〜６のいずれか１つに記載された太陽電池ユニットである建築物。
【請求項８】
複数の太陽電池モジュールと、凹部が形成された壁部に固定されて前記複数の太陽電池モジュールが前記壁部との間に間隔をおいて前記壁部の一方端から他方端へ向かう第１方向に並ぶように前記複数の太陽電池モジュールを支持する架台とを有する太陽電池アレイの前記第１方向と直交する第２方向における縁部である側縁部に設けられるカバーであって、
前記太陽電池アレイの側縁部を覆うカバー本体と、
前記カバー本体から前記壁部の凹部へ向けて突出して前記壁部の凹部に挿入される突出部とを含み、
前記突出部が前記壁部の凹部に挿入された状態で前記カバー本体が前記太陽電池アレイの側縁部に取り付けられるカバー。
【発明の詳細な説明】
【技術分野】
【０００１】
本発明は、太陽電池ユニット、建築物、カバーに関する。
【背景技術】
【０００２】
特許文献１には、太陽電池モジュールの化粧カバー装置が開示されている。この太陽電池モジュールの化粧カバー装置では、屋根面に設置した架台上に太陽電池モジュールが固定され、太陽電池モジュール側面と架台が化粧カバーで覆われている。
【先行技術文献】
【特許文献】
【０００３】
【特許文献１】特開平７−１５３９８４号公報
【発明の概要】
【発明が解決しようとする課題】
【０００４】
しかしながら、特許文献１に開示された太陽電池モジュールの化粧カバー装置では、化粧カバーの取り付けを行う作業者は、自身の手で化粧カバーを架台に押し当てた状態で、化粧カバーを架台に取り付けるための作業（例えばねじ止め）を行うことになる。このように、化粧カバーの取り付けを容易に行うことが困難である。
【課題を解決するための手段】
【０００５】
本発明は、凹部が形成された壁部に設けられる太陽電池ユニットに関する。この太陽電池ユニットは、複数の太陽電池モジュールと、前記壁部に固定されて前記複数の太陽電池モジュールが前記壁部との間に間隔をおいて前記壁部の一方端から他方端へ向かう第１方向に並ぶように前記複数の太陽電池モジュールを支持する架台とを有する太陽電池アレイと、前記太陽電池アレイの前記第１方向と直交する第２方向における縁部である側縁部に設けられるカバーとを含んでいる。前記カバーは、前記太陽電池アレイの側縁部を覆うカバー本体と、前記カバー本体から前記壁部の凹部へ向けて突出して前記壁部の凹部に挿入される突出部とを有し、前記突出部が前記壁部の凹部に挿入された状態で前記カバー本体が前記太陽電池アレイの側縁部に取り付けられる。
【０００６】
また、本発明は、複数の太陽電池モジュールと、凹部が形成された壁部に固定されて前記複数の太陽電池モジュールが前記壁部との間に間隔をおいて前記壁部の一方端から他方端へ向かう第１方向に並ぶように前記複数の太陽電池モジュールを支持する架台とを有する太陽電池アレイの前記第１方向と直交する第２方向における縁部である側縁部に設けられるカバーに関する。このカバーは、前記太陽電池アレイの側縁部を覆うカバー本体と、前記カバー本体から前記壁部の凹部へ向けて突出して前記壁部の凹部に挿入される突出部とを含み、前記突出部が前記壁部の凹部に挿入された状態で前記カバー本体が前記太陽電池アレイの側縁部に取り付けられる。
【発明の効果】
【０００７】
本発明によれば、突出部を壁部の凹部に挿入することにより太陽電池アレイの側縁部にカバーが仮止めされる。これにより、カバーの取り付けが容易となる。
【図面の簡単な説明】
【０００８】
【図１】太陽電池ユニットを備えた建築物の構成を例示する正面図である。
【図２】建築物の壁部の凹部を例示する正面図である。
【図３】実施形態１の太陽電池ユニットの構成を例示する正面図である。
【図４】実施形態１の縦軸材の構成を例示する正面図である。
【図５】実施形態１の太陽電池ユニットの構成を例示する水平断面図である。
【図６】実施形態１の太陽電池ユニットの構成を例示する垂直断面図である。
【図７】実施形態１の太陽電池ユニットの構成を例示する垂直断面図である。
【図８】実施形態２におけるサイドカバーの構成を例示する水平断面図である。
【図９】実施形態３におけるサイドカバーの構成を例示する垂直断面図である。
【発明を実施するための形態】
【０００９】
以下、実施の形態を図面を参照して詳しく説明する。なお、図中同一または相当部分には同一の符号を付しその説明は繰り返さない。
【００１０】
（実施形態１）
図１は、実施形態１による太陽電池ユニット１０を備えた建築物１１の構成を例示している。この建築物１１は、太陽電池ユニット１０の他に、壁部１２と、基礎１３とを備えている。太陽電池ユニット１０は、壁部１２に設けられている。この例では、建築物１１は、住宅を構成しており、壁部１２は、地面（具体的には基礎１３）に対して垂直に設けられており、その上端部が住宅のバルコニーの一部を構成している。
【００１１】
なお、以下の説明における「上」「下」「左」「右」「前」「後」は、設置状態の太陽電池ユニット１０を正面から見た場合の方向を示している。また、以下の説明における段数は、下から数えた段数である。
【００１２】
（壁部）
図２に示すように、壁部１２には、凹部１００が形成されている。凹部１００は、例えば、壁部１２に凹凸模様を付与するために形成された溝であってもよいし、壁部１２を構成する部材の継ぎ目（すなわち目地）であってもよい。この例では、壁部１２には、それぞれが左右方向に延びる複数の横溝１０１（凹部１００の一例）と、それぞれが上下方向に延びる複数の縦溝１０２（凹部１００の一例）とが形成されている。
【００１３】
（太陽電池ユニット）
図３は、壁部１２に設けられた太陽電池ユニット１０を例示している。太陽電池ユニット１０は、複数（この例では１０個）の太陽電池モジュール２０と、複数の太陽電池モジュール２０を支持する架台３０とを含むとともに、必要に応じて後述の各種カバーを含んでいる。
【００１４】
〔太陽電池モジュール〕
複数の太陽電池モジュール２０と架台３０とが太陽電池アレイ２００を構成している。太陽電池モジュール２０は、矩形の板状に形成され、光を電力に変換する。具体的には、太陽電池モジュール２０は、電気的に接続された複数の太陽電池セル（光を電力に変換する部品）を有しており、それらの太陽電池セルが樹脂などの封止材およびフレームなどにより保護されている。また、複数の太陽電池モジュール２０は、モジュール接続用ケーブル（図示を省略）によって電気的に接続されている。
【００１５】
〔架台〕
架台３０は、壁部１２に固定されている。そして、架台３０は、複数の太陽電池モジュール２０が壁部１２との間に間隔をおいて壁部１２の一方端である下端から他方端である上端へ向かう第１方向（この例では上下方向、以下同様）に並ぶように複数の太陽電池モジュール２０を支持する。この例では、１０個の太陽電池モジュール２０は、第１方向を列方向とし第１方向と直交する第２方向（この例では左右方向、以下同様）を行方向とする５行２列の行列状に配置されている。すなわち、２つの太陽電池モジュール２０の列（第１方向に並ぶ５つの太陽電池モジュール２０により構成された列）が構成されている。また、１０個の太陽電池モジュール２０は、第１方向および第２方向と直交する第３方向（この例では前後方向、以下同様）において壁部１２と間隔をおいて対向している。
【００１６】
図３〜図６に示すように、この例では、架台３０は、１０個の太陽電池モジュール２０を支持するために、２つのセンタ縦軸材３１と、２つのサイド縦軸材３２と、１２個の補強部材３３と、１０個の支持部材３４とを有している。また、壁部１２には、４つのセンタ取付具１５と、８つのサイド取付具１６とが設けられている。なお、図５では、太陽電池モジュール２０と補強部材３３と支持部材３４との図示が省略され、図５および図６では、壁部１２の凹部１００の図示が省略されている。また、図６は、図３のＶＩ−ＶＩ線における断面図に相当する。
【００１７】
〈センタ取付具〉
図４に示すように、４つのセンタ取付具１５は、２つのセンタ縦軸材３１が取り付けられる部材であり、太陽電池アレイ２００の左右方向（第２方向）における中央部に設けられて上下方向（第１方向）に間隔をおいて配置されている。
【００１８】
図５に示すように、この例では、センタ取付具１５は、水平方向における断面（第１方向と直交する断面）の形状がＴ字状に形成されており、それぞれが矩形の板状に形成された前面プレート１５１と連結プレート１５２とを有している。前面プレート１５１は、その板面が前後方向（第３方向）と直交して壁部１２と間隔をおいて対向するように配置されている。連結プレート１５２は、その板面が左右方向（第２方向）と直交するように配置され、前面プレート１５１の背面の左右方向（第２方向）における中央部と建築物１１の構造躯体（例えば柱、図示を省略）とを連結している。センタ取付具１５は、例えば、鋼板により形成されている。
【００１９】
〈サイド取付具〉
図４に示すように、８つのサイド取付具１６は、サイド縦軸材３２が取り付けられる部材であり、４つのサイド取付具１６が太陽電池アレイ２００の右縁部（第２方向における一縁部）に設けられて上下方向（第１方向）に間隔をおいて配置され、残りの４つのサイド取付具１６が太陽電池アレイ２００の左縁部（第２方向における他縁部）に設けられて上下方向（第１方向）に間隔をおいて配置されている。
【００２０】
図５に示すように、この例では、サイド取付具１６は、水平方向における断面（第１方向と直交する断面）の形状がＬ字状に形成されており、それぞれが矩形の板状に形成された前面プレート１６１と連結プレート１６２とを有している。前面プレート１６１は、その板面が前後方向（第３方向）と直交して壁部１２と間隔をおいて対向するように配置されている。連結プレート１６２は、その板面が左右方向（第２方向）と直交するように配置され、前面プレート１６１の背面の左右方向における外側（太陽電池アレイ２００の第２方向の中央から遠い側）の縁部と建築物１１の構造躯体（例えば柱、図示を省略）とを連結している。サイド取付具１６は、例えば、鋼板により形成されている。
【００２１】
〈センタ縦軸材〉
図４に示すように、２つのセンタ縦軸材３１は、線状部材（直線状に延びる部材）であり、それぞれが上下方向（第１方向）に沿うようにして、太陽電池アレイ２００の左右方向（第２方向）における中央部に配置されている。そして、２つのセンタ縦軸材３１は、左右方向に並ぶように４つのセンタ取付具１５に取り付けられている。
【００２２】
この例では、各センタ縦軸材３１は、２つのセンタ柱部材３１０と、１つの架橋材３１１とを含んでいる。
【００２３】
２つのセンタ柱部材３１０は、線状に形成され、それぞれが導電性を有しており、上下方向（第１方向）に沿うようにして、それぞれの間に隙間を隔てて上下方向（第１方向）に並んで配置されている。図５に示すように、センタ柱部材３１０は、水平方向における断面（第１方向と直交する断面）の形状がＬ字状に形成されており、それぞれが上下方向（第１方向）に延びる前面部３１０ａと側面部３１０ｂとを有している。センタ柱部材３１０は、例えば、メッキ鋼板により形成されている。
【００２４】
前面部３１０ａは、矩形の板状に形成され、その板面が前後方向（第３方向）と直交するように配置されてセンタ取付具１５に取り付けられている。この例では、前面部３１０ａは、センタ取付具１５にねじ止めされている。側面部３１０ｂは、矩形の板状に形成され、その板面が左右方向（第２方向）と直交するように配置され、その前縁部が前面部３１０ａの左右方向（第２方向）における縁部に繋がっている。
【００２５】
架橋材３１１は、導電性を有する線状部材であり、上下方向（第１方向）に沿うようにして、その両端部が２つのセンタ柱部材３１０にそれぞれ接続されている。この接続により、２つのセンタ柱部材３１０が電気的にも接続される。この例では、架橋材３１１は、矩形の板状に形成され、その両端部（上下方向における両端部）が２つのセンタ柱部材３１０の側面部３１０ｂにそれぞれ接続されている。架橋材３１１は、例えば、メッキ鋼板により形成されている。
【００２６】
〈サイド縦軸材〉
図４に示すように、２つのサイド縦軸材３２は、線状部材であり、それぞれが上下方向（第１方向）に沿うようにして、太陽電池アレイ２００の左右方向（第２方向）における両縁部にそれぞれ配置されている。そして、右側（第２方向における一端側）に配置されたサイド縦軸材３２は、右側に配置された４つのサイド取付具１６に取り付けられ、左側（第２方向における他端側）に配置されたサイド縦軸材３２は、左側に配置された４つのサイド取付具１６に取り付けられている。この例では、２つのサイド縦軸材３２が太陽電池アレイ２００の左右方向（第２方向）における両縁部をそれぞれ構成している。
【００２７】
また、この例では、各サイド縦軸材３２は、２つのサイド柱部材３２０を含んでいる。２つのサイド柱部材３２０は、線状に形成され、それぞれが導電性を有しており、上下方向（第１方向）に沿うようにして、それぞれの間に隙間を隔てて上下方向（第１方向）に並んで配置されている。図５に示すように、サイド柱部材３２０は、水平方向における断面（第１方向と直交する断面）の形状がＺ字状に形成されており、それぞれが上下方向（第１方向）に延びる平面部３２０ａと外側面部３２０ｂと内側面部３２０ｃとを有している。サイド柱部材３２０は、例えば、メッキ鋼板により形成されている。
【００２８】
平面部３２０ａは、矩形の板状に形成され、その板面が前後方向（第３方向）と直交するように配置されてサイド取付具１６に取り付けられている。この例では、平面部３２０ａは、サイド取付具１６にねじ止めされている。外側面部３２０ｂは、矩形の板状に形成され、その板面が左右方向（第２方向）と直交するように配置され、その後縁部が平面部３２０ａの左右方向における外側（太陽電池アレイ２００の第２方向の中央から遠い側）の縁部に繋がっている。内側面部３２０ｃは、矩形の板状に形成され、その板面が左右方向（第２方向）と直交するように配置され、その前縁部が平面部３２０ａの左右方向における内側（太陽電池アレイ２００の第２方向の中央に近い側）の縁部に繋がっている。
【００２９】
〈補強部材〉
図３に示すように、１２個の補強部材３３は、線状部材であり、それぞれが左右方向（第２方向）に沿うように配置されている。具体的には、６つの補強部材３３が上下方向（第１方向）に所定の間隔をおいて配置されて右側（第２方向における一端側）のセンタ縦軸材３１と右側のサイド縦軸材３２とに取り付けられている。残りの６つの補強部材３３が第１方向に所定の間隔をおいて配置されて左側（第２方向における他端側）のセンタ縦軸材３１と左側のサイド縦軸材３２とに取り付けられている。この例では、第６段目（すなわち最上段）の左右の補強部材３３が太陽電池アレイ２００の上縁部に相当する。
【００３０】
図３および図６に示すように、この例では、補強部材３３は、矩形の板状に形成され、その板面が前後方向（第３方向）と直交するように配置され、その一端部（第２方向における一端部）がセンタ縦軸材３１を構成するセンタ柱部材３１０の前面部３１０ａに取り付けられ、その他端部（第２方向における他端部）がサイド縦軸材３２を構成するサイド柱部材３２０の平面部３２０ａに取り付けられている。この例では、補強部材３３は、センタ柱部材３１０とサイド柱部材３２０とにねじ止めされている。補強部材３３は、例えば、メッキ鋼板により形成されている。
【００３１】
〈支持部材〉
図３に示すように、１０個の支持部材３４は、それぞれが左右方向（第２方向）に延伸するように形成されている。１０個の支持部材３４のうち５つの支持部材３４は、右側（第２方向における一端側）のセンタ縦軸材３１と右側のサイド縦軸材３２とに取り付けられた６つの補強部材３３のうち第１段目から第５段目までの５つの補強部材３３にそれぞれ取り付けられ、上下方向（第１方向）に並ぶ右側の５つの太陽電池モジュール２０をそれぞれ支持している。１０個の支持部材３４のうち残りの５つの支持部材３４は、左側（第２方向における他端側）のセンタ縦軸材３１と左側のサイド縦軸材３２とに取り付けられた６つの補強部材３３のうち第１段目から第５段目までの５つの補強部材３３にそれぞれ取り付けられ、上下方向（第１方向）に並ぶ左側の５つの太陽電池モジュール２０をそれぞれ支持している。この例では、第１段目（すなわち最下段）の左右の支持部材３４が太陽電池アレイ２００の下縁部に相当する。
【００３２】
図６に示すように、この例では、支持部材３４は、それぞれが左右方向（第２方向）に延びる固定部３４ａと受け部３４ｂと連結部３４ｃとを有している。支持部材３４は、例えば、メッキ鋼板により形成されている。なお、支持部材３４における固定部３４ａと受け部３４ｂと連結部３４ｃは、一体に形成された部材である必要はなく、例えば、別部材で形成された固定部３４ａと受け部３４ｂと連結部３４ｃとが組み合わせられて支持部材３４が形成されていても構わない。また、受け部３４ｂは、支持部材３４ｂの全長に連続形成されたものでなくてもよく、部分的に形成されていても構わない。
【００３３】
固定部３４ａは、矩形の板状に形成され、その板面が前後方向（第３方向）と直交するように配置されて補強部材３３に固定されている。この例では、固定部３４ａは、補強部材３３にねじ止めされている。受け部３４ｂは、垂直方向における断面（第２方向と直交する断面）の形状がＬ字状に形成され、上下方向に延びる第１面部と、前後方向に延びて後縁部が第１面部の下縁部に繋がる第２面部とを有している。そして、受け部３４ｂは、固定部３４ａの前方下方に配置され、太陽電池モジュール２０の下縁部を受けて支持している。連結部３４ｃは、矩形の板状に形成され、固定部３４ａの下縁部から受け部３４ｂの上縁部へ向けて前方下方に傾斜して固定部３４ａの下縁部と受け部３４ｂの上縁部とを連結している。
【００３４】
なお、この例では、第１段目の支持部材３４には、後述する下縁カバー４０が取り付けられている。第１段目の支持部材３４の受け部３４ｂと下縁カバー４０の前面部４０ｂとの間には、第１段目の太陽電池モジュール２０の下縁部が挿入される下側溝部が形成されている。また、この下側溝部には、垂直方向における断面の形状がＨ字状に形成された下側緩衝材３４ｄが設けられている。下側緩衝材３４ｄは、例えば、ガスケットにより形成されている。第１段目の太陽電池モジュール２０の下縁部は、下側緩衝材３４ｄを介して下側溝部に挿入されている。
【００３５】
また、第２段目から第５段目までの支持部材３４には、後述するフロントカバー５０が取り付けられている。第２段目の支持部材３４の受け部３４ｂとフロントカバー５０の前面部５０ｂとの間には、第２段目の太陽電池モジュール２０の下縁部が挿入される下側溝部が形成されている。第１段目の支持部材３４と同様に、この下側溝部には、下側緩衝材３４ｄが設けられている。第２段目の太陽電池モジュール２０の下縁部は、下側緩衝材３４ｄを介して下側溝部に挿入されている。なお、第３段目から第５段目までの支持部材３４およびフロントカバー５０の構成は、第２段目の支持部材３４およびフロントカバー５０の構成と同様となっている。
【００３６】
また、第２段目の支持部材３４の受け部３４ｂおよび連結部３４ｃと第２段目の補強部材３３との間には、第１段目の太陽電池モジュール２０の上縁部が挿入される上側溝部が形成されている。この上側溝部には、垂直方向における断面の形状がＬ字状に形成された上側緩衝材３４ｅが設けられている。上側緩衝材３４ｅは、例えば、ガスケットにより形成されている。第１段目の太陽電池モジュール２０の上縁部は、上側緩衝材３４ｅを介して上側溝部に挿入されている。なお、第３段目から第５段目までの支持部材３４および補強部材３３の構成は、第２段目の支持部材３４および補強部材３３の構成と同様となっている。
【００３７】
〔各種カバー〕
また、図３，図５，図６に示すように、この例では、太陽電池ユニット１０は、２つの下縁カバー４０と、８つのフロントカバー５０と、２つの上縁カバー６０と、２つのサイドカバー７０とを含んでいる。
【００３８】
〔下縁カバー〕
図３に示すように、２つの下縁カバー４０は、直線状に延びる板状部材であり、複数の太陽電池モジュール２０と架台３０とにより構成される太陽電池アレイ２００の下縁部に設けられ、それぞれが左右方向（第２方向）に沿うようにして、太陽電池アレイ２００の下縁部を覆っている。この例では、２つの下縁カバー４０のうち１つの下縁カバー４０は、第１段目の右側（第２方向における一端側）の支持部材３４に取り付けられ、第１段目の右側の支持部材３４の下縁部および第１段目の右側の太陽電池モジュール２０の下縁部を覆う。２つの下縁カバー４０のうち残りの１つの下縁カバー４０は、第１段目の左側（第２方向における他端側）の支持部材３４に取り付けられ、第１段目の左側の支持部材３４の下縁部および第１段目の左側の太陽電池モジュール２０の下縁部を覆う。
【００３９】
図３および図６に示すように、この例では、下縁カバー４０は、垂直方向における断面（第２方向と直交する断面）の形状がＬ字状に形成されており、それぞれが左右方向（第２方向）に延びる平面部４０ａと前面部４０ｂと延出部４０ｃとを有している。下縁カバー４０は、例えば、ステンレス鋼により形成されている。
【００４０】
平面部４０ａは、矩形の板状に形成され、第１段目の支持部材３４の下面部（この例では受け部３４ｂの下面部）に取り付けられている。この例では、平面部４０ａは、支持部材３４にねじ止めされている。そして、平面部４０ａは、太陽電池アレイ２００の下縁部（この例では第１段目の支持部材３４の下面部）と壁部１２との間の隙間を覆っている。前面部４０ｂは、矩形の板状に形成され、その板面が前後方向（第３方向）と直交するように配置され、その下縁部が平面部４０ａの前縁部に繋がっている。このような構成により、下縁カバー４０の前面部４０ｂと第１段目の支持部材３４の受け部３４ｂとの間に下側溝部（第１段目の太陽電池モジュール２０の下縁部が挿入される溝部）が形成されている。延出部４０ｃは、平面部４０ａの後縁部から壁部１２に沿うように延出し、壁部１２と接触している。
【００４１】
〔フロントカバー〕
図３に示すように、８つのフロントカバー５０は、直線状に延びる板状部材であり、それぞれが左右方向（第２方向）に沿うように配置されている。８つのフロントカバー５０のうち４つのフロントカバー５０は、第２段目から第５段目までの４つの右側（第２方向における一端側）の支持部材３４にそれぞれ取り付けられ、これらの４つの右側の支持部材３４の下縁部および第２段目から第５段目までの右側の太陽電池モジュール２０の下縁部を覆う。８つのフロントカバー５０のうち残りの４つのフロントカバー５０は、第２段目から第５段目までの４つの左側（第２方向における他端側）の支持部材３４にそれぞれ取り付けられ、これらの４つの左側の支持部材３４の下縁部および第２段目から第５段目までの左側の太陽電池モジュール２０の下縁部を覆う。
【００４２】
図３および図６に示すように、この例では、フロントカバー５０は、垂直方向における断面（第２方向と直交する断面）の形状がＬ字状に形成されており、それぞれが左右方向（第２方向）に延びる平面部５０ａと前面部５０ｂを有している。フロントカバー５０は、例えば、ステンレス鋼により形成されている。
【００４３】
平面部５０ａは、矩形の板状に形成され、支持部材３４の下面部（この例では受け部３４ｂの下面部）に取り付けられている。この例では、平面部５０ａは、支持部材３４にねじ止めされている。前面部５０ｂは、矩形の板状に形成され、その板面が前後方向（第３方向）と直交するように配置され、その下縁部が平面部５０ａの前縁部に繋がっている。このような構成により、フロントカバー５０の前面部５０ｂと支持部材３４の受け部３４ｂとの間に下側溝部（太陽電池モジュール２０の下縁部が挿入される溝部）が形成されている。
【００４４】
〔上縁カバー〕
図３に示すように、２つの上縁カバー６０は、直線状に延びる板状部材であり、複数の太陽電池モジュール２０と架台３０とにより構成される太陽電池アレイ２００の上縁部に設けられ、それぞれが左右方向（第２方向）に沿うようにして、太陽電池アレイ２００の上縁部を覆っている。この例では、２つの上縁カバー６０のうち１つの上縁カバー６０は、第６段目の右側（第２方向における一端側）の補強部材３３に取り付けられ、第５段目の右側の太陽電池モジュール２０の上縁部を覆う。２つの上縁カバー６０のうち残りの１つの上縁カバー６０は、第６段目の左側（第２方向における他端側）の補強部材３３に取り付けられ、第５段目の左側の太陽電池モジュール２０の上縁部を覆う。
【００４５】
図３および図６に示すように、この例では、上縁カバー６０は、それぞれが左右方向（第２方向）に延びる固定部６０ａと前面部６０ｂと連結部６０ｃを有している。上縁カバー６０は、例えば、ステンレス鋼により形成されている。
【００４６】
固定部６０ａは、矩形の板状に形成され、その板面が前後方向（第３方向）と直交するように配置されて第６段目の補強部材３３に固定されている。この例では、固定部６０ａは、補強部材３３にねじ止めされている。前面部６０ｂは、矩形の板状に形成され、その板面が前後方向（第３方向）と直交するように固定部６０ａの前方下方に配置され、太陽電池モジュール２０の上縁部を覆っている。連結部６０ｃは、矩形の板状に形成され、固定部６０ａの下縁部から前面部６０ｂの上縁部へ向けて前方下方に傾斜して固定部６０ａの下縁部と前面部６０ｂの上縁部とを連結している。
【００４７】
なお、この例では、上縁カバー６０の前面部６０ｂおよび連結部６０ｃと第６段目の補強部材３３との間には、第５段目の太陽電池モジュール２０の上縁部が挿入される上側溝部が形成されている。この上側溝部には、垂直方向における断面の形状がＬ字状に形成された緩衝材６０ｄが設けられている。緩衝材６０ｄは、例えば、ガスケットにより形成されている。第５段目の太陽電池モジュール２０の上縁部は、緩衝材６０ｄを介して上側溝部に挿入されている。
【００４８】
〔サイドカバー（カバー）〕
図３および図５に示すように、２つのサイドカバー７０は、直線状に延びる板状部材であり、複数の太陽電池モジュール２０と架台３０とにより構成される太陽電池アレイ２００の左右方向（第２方向）における両縁部である両側縁部にそれぞれ設けられている。そして、各サイドカバー７０は、上下方向（第１方向）に沿うように配置されて太陽電池アレイ２００の両側縁部を覆っている。この例では、２つのサイドカバー７０のうち１つのサイドカバー７０は、右側（第２方向における一端側）のサイド縦軸材３２に取り付けられ、上下方向に並ぶ５つの右側の太陽電池モジュール２０の右縁部（外側面部３２０ｂ）および右側のサイド縦軸材３２の右縁部（外側面部３２０ｂ）を覆う。２つのサイドカバー７０のうち残りの１つのサイドカバー７０は、左側（第２方向における他端側）のサイド縦軸材３２に取り付けられ、上下方向に並ぶ５つの左側の太陽電池モジュール２０の左縁部（外側面部３２０ｂ）および左側のサイド縦軸材３２の左縁部（外側面部３２０ｂ）を覆う。
【００４９】
図３および図５〜図７に示すように、この例では、サイドカバー７０は、カバー本体７１と、１つまたは複数（この例では複数）の突出部７２とを有している。サイドカバー７０は、例えば、ステンレス鋼により形成されている。なお、図７は、左右方向（第２方向）と直交する断面図であり後述するサイドカバー７０のカバー本体７１の平面部７１ａに沿う断面図である。
【００５０】
〈カバー本体〉
カバー本体７１は、直線状に延びる板状部材であり、上下方向（第１方向）に沿うように配置され、太陽電池アレイ２００の側縁部（この例では上下方向に並ぶ５つの右側の太陽電池モジュール２０の側縁部およびサイド縦軸材３２の側縁部）を覆っている。この例では、カバー本体７１は、上下方向（第１方向）と直交する断面の形状がＬ字状に形成されており、それぞれが上下方向（第１方向）に延びる平面部７１ａと前面部７１ｂとを有している。
【００５１】
平面部７１ａは、矩形の板状に形成され、その板面が左右方向（第２方向）と直交するように配置され、サイド縦軸材３２を構成する２つのサイド柱部材３２０の外側面部３２０ｂに取り付けられている。この例では、平面部７１ａは、２つのサイド柱部材３２０にねじ止めされている。そして、平面部７１ａは、その後縁部が壁部１２と接触しており、太陽電池アレイ２００の側縁部（この例ではサイド縦軸材３２を構成する２つのサイド柱部材３２０の側縁部）と壁部１２との間の隙間を覆っている。前面部７１ｂは、矩形の板状に形成され、その板面が前後方向（第３方向）と直交するように配置され、その左右方向における外側（太陽電池アレイ２００の第２方向の中央から遠い側）の縁部が平面部７１ａの前縁部に繋がっている。
【００５２】
〈突出部〉
複数の突出部７２は、カバー本体７１の後縁部（壁部１２と対向する縁部）に設けられて上下方向（第１方向）に並んで配置されている。そして、複数の突出部７２は、カバー本体７１から壁部１２の複数の凹部１００へ向けてそれぞれ突出して壁部１２の複数の凹部１００にそれぞれ挿入される。この例では、突出部７２は、カバー本体７１の平面部７１ａの後縁部から壁部１２の横溝１０１へ向けて前後方向に一直線に突出している。突出部７２の上下方向（第１方向）の幅は、壁部１２の横溝１０１の上下方向の幅よりも小さくなっている。突出部７２の突出長さ（前後方向の長さ）は、壁部１２の横溝１０１の深さ（前後方向の長さ）よりも短くなっている。
【００５３】
〈通気孔〉
また、カバー本体７１（具体的には平面部７１ａ）には、複数の通気孔７３が設けられている。複数の通気孔７３は、カバー本体７１を左右方向（第２方向）に貫通してカバー本体７１の内側面に面する内部空間（カバー本体７１の内側面と壁部１２と複数の太陽電池モジュール２０とに囲まれた内部空間）とカバー本体７１の外側面に面する外部空間とを連通している。すなわち、通気孔７３は、内部空間から外部空間に至るまでを連通させる。この例では、複数の通気孔７３は、前後方向（第３方向）において壁部１２とサイド縦軸材３２を構成する２つのサイド柱部材３２０の平面部３２０ａとの間に配置され、上下方向（第１方向）において一直線上に配列されている。また、通気孔７３は、前後方向（第３方向）に延びる長穴状に形成されている。なお、通気孔７３の大きさは、小動物（例えば小鳥など）が侵入することができない大きさに設定されていることが好ましい。
【００５４】
〈サイドカバーの取り付け〉
なお、サイドカバー７０は、複数の突出部７２が壁部１２の複数の凹部１００にそれぞれ挿入された状態でカバー本体７１が太陽電池アレイ２００の側縁部に取り付けられる。この例では、サイドカバー７０のカバー本体７１は、導電性を有し、サイド縦軸材３２を構成する２つのサイド柱部材３２０に取り付けられる。具体的には、サイドカバー７０のカバー本体７１の平面部７１ａに第１ねじ孔Ｈ１が設けられ、サイド柱部材３２０の外側面部３２０ｂに第２ねじ孔Ｈ２が設けられており、複数の突出部７２が壁部１２の複数の凹部１００にそれぞれ挿入された状態で、且つ、第１ねじ孔Ｈ１と第２ねじ孔Ｈ２とを連通させた状態で、ねじ孔Ｈ１，Ｈ２にねじＢ１を締め込むことにより、サイドカバー７０のカバー本体７１の平面部７１ａがサイド柱部材３２０の外側面部３２０ｂにねじ止めされている。また、このサイドカバー７０の取り付けにより、２つのサイド縦軸材３２が電気的にも接続される。なお、サイドカバー７０のカバー本体７１は、複数のねじＢ１によりサイド柱部材３２０に取り付けられているが、図７では、ねじＢ１の図示が省略されている。
【００５５】
〔太陽電池ユニットの組立作業〕
次に、太陽電池ユニット１０の組立作業について説明する。なお、この例では、太陽電池ユニット１０の構成が左右対称となっているので、以下では、太陽電池ユニット１０の右側の構成を例に挙げて説明する。
【００５６】
まず、壁部１２に設けられた４つのセンタ取付具１５にセンタ縦軸材３１（詳しくは２つのセンタ柱部材３１０と架橋材３１１）を取り付け、壁部１２に設けられたサイド取付具１６にサイド縦軸材３２（詳しくは２つのサイド柱部材３２０）を取り付ける。
【００５７】
次に、第１段目および第２段目の補強部材３３をセンタ縦軸材３１とサイド縦軸材３２とに取り付け、下縁カバー４０が取り付けられた第１段目の支持部材３４を第１段目の補強部材３３に取り付ける。次に、第１段目の太陽電池モジュール２０の下縁部を第１段目の支持部材３４と下縁カバー４０との間の下側溝部に挿入し、第１段目の太陽電池モジュール２０を壁部１２側に傾斜させて、第１段目の太陽電池モジュール２０の上縁部を第２段目の補強部材３３に接触させる。これにより、第１段目の太陽電池モジュール２０が設置される。
【００５８】
次に、第３段目の補強部材３３をセンタ縦軸材３１とサイド縦軸材３２とに取り付け、フロントカバー５０が取り付けられた第２段目の支持部材３４を第２段目の補強部材３３に取り付ける。これにより、第１段目の太陽電池モジュール２０の上縁部が第２段目の支持部材３４と第２段目の補強部材３３との間の上側溝部に挿入された状態となる。次に、第２段目の太陽電池モジュール２０の下縁部を第２段目の支持部材３４とフロントカバー５０との間の下側溝部に挿入し、第２段目の太陽電池モジュール２０を壁部１２側に傾斜させて、第２段目の太陽電池モジュールの２０の上縁部を第３段目の補強部材３３に接触させる。これにより、第２段目の太陽電池モジュール２０が設置される。
【００５９】
以上のような作業を繰り返して第３段目から第５段目までの太陽電池モジュール２０を設置する。
【００６０】
そして、第６段目の補強部材３３に上縁カバー６０を取り付ける。これにより、第５段目の太陽電池モジュール２０の上縁部が上縁カバー６０と第６段目の補強部材３３との間の上側溝部に挿入された状態となる。
【００６１】
次に、複数の太陽電池モジュール２０と架台３０とにより構成される太陽電池アレイ２００の側縁部（この例ではサイド縦軸材３２を構成する２つのサイド柱部材３２０）にサイドカバー７０を取り付ける。具体的には、まず、サイドカバー７０の複数の突出部７２を壁部１２の複数の凹部１００（この例では横溝１０１）にそれぞれ挿入する。これにより、太陽電池アレイ２００の側縁部（この例では２つのサイド柱部材３２０）にサイドカバー７０が仮止めされる。そして、サイドカバー７０の第１ねじ孔Ｈ１とサイド柱部材３２０の第２ねじ孔Ｈ２とを連通させた状態でねじ孔Ｈ１，Ｈ２にねじＢ１を締め込む。これにより、サイドカバー７０が２つのサイド柱部材３２０にねじ止めされる。
【００６２】
〔実施形態１による効果〕
以上のように、実施形態１による太陽電池ユニット１０では、サイドカバー７０の突出部７２を壁部１２の凹部１００（この例では横溝１０１）に挿入することにより太陽電池アレイ２００の側縁部（この例ではサイド縦軸材３２を構成する２つのサイド柱部材３２０）にサイドカバー７０が位置決めされた状態で仮止めされる。これにより、太陽電池アレイ２００に対するサイドカバー７０の取り付けが容易となる。
【００６３】
また、実施形態１による太陽電池ユニット１０では、サイドカバー７０のカバー本体７１に複数の通気孔７３が設けられている。このような構成により、複数の太陽電池モジュール２０の裏面に面する内部空間に空気の流れが発生し、その空気の流れにより複数の太陽電池モジュール２０が冷却される。これにより、太陽電池モジュール２０の温度上昇による発電効率の低下が抑制される。
【００６４】
また、実施形態１による太陽電池ユニット１０では、太陽電池アレイ２００の側縁部を構成するサイド縦軸材３２にサイドカバー７０が取り付けられる。そのため、複数の太陽電池モジュールにサイドカバーが取り付けられるように太陽電池ユニットが構成されている場合よりも、サイドカバー７０の取り付けが容易となる。
【００６５】
また、実施形態１による太陽電池ユニット１０では、サイド縦軸材３２を構成する複数（この例では２つ）のサイド柱部材３２０に導電性を有するサイドカバー７０が取り付けられる。このような構成により、サイドカバー７０により複数のサイド柱部材３２０が電気的に接続されるので、例えば、複数のサイド柱部材３２０とサイドカバー７０との組合せを接地線（複数の太陽電池モジュール２０を接地するための電流経路）として利用することが可能である。
【００６６】
また、実施形態１による太陽電池ユニット１０では、サイドカバー７０が太陽電池アレイ２００の側縁部（この例ではサイド縦軸材３２を構成する２つのサイド柱部材３２０の側縁部）に設けられている。このような構成により、太陽電池ユニット１０の側縁部の意匠性が向上する。
【００６７】
また、実施形態１による太陽電池ユニット１０では、サイドカバー７０のカバー本体７１（具体的には平面部７１ａ）が太陽電池アレイ２００の側縁部（この例ではサイド縦軸材３２を構成する２つのサイド柱部材３２０の側縁部）と壁部１２との間の隙間を覆っている。このような構成により、太陽電池アレイ２００の側縁部と壁部１２との間の隙間への小動物（例えば小鳥など）の侵入が防止される。これにより、小動物の侵入に起因する太陽電池モジュール２０およびモジュール接続用ケーブル（図示を省略）の破損が防止される。また、サイドカバー７０よりも太陽電池アレイ２００の左右方向における内側（第２方向の中央に近い側）に位置する壁部１２の目地に塗布されたシーリング（図示を省略）が直射日光から保護されるので、シーリングの耐久性が向上する。
【００６８】
また、実施形態１による太陽電池ユニット１０では、下縁カバー４０が太陽電池アレイ２００の下縁部（この例では第１段目の支持部材３４の下縁部）に設けられている。このような構成により、太陽電池アレイ２００の下縁部を下縁カバー４０で保護されるので、人（例えば子どもなど）が太陽電池アレイ２００の下縁部の構成要素（具体的には太陽電池モジュール２０の下縁部）に触れて負傷する危険性が低減される。また、太陽電池ユニット１０の下縁部の意匠性が向上する。
【００６９】
また、実施形態１による太陽電池ユニット１０では、下縁カバー４０が太陽電池アレイ２００の下縁部（この例では第１段目の支持部材３４の下縁部）と壁部１２との間の隙間を覆っている。このような構成により、太陽電池アレイ２００の下縁部と壁部１２との間の隙間への小動物（例えば小鳥など）の侵入が防止される。これにより、小動物の侵入に起因する太陽電池モジュール２０およびモジュール接続用ケーブル（図示を省略）の破損が防止される。また、下縁カバー４０よりも上側に位置する壁部１２の目地に塗布されたシーリング（図示を省略）が直射日光から保護されるので、シーリングの耐久性が向上する。さらに、複数の太陽電池モジュール２０を接続するモジュール接続ケーブル（図示を省略）が太陽電池アレイ２００の下縁部と壁部１２との間の隙間から食み出すことが防止される。これにより、太陽電池ユニット１０の下縁部の意匠性が向上する。また、モジュール接続ケーブルの食み出しが防止されるので、太陽電池アレイ２００の下縁部と壁部１２との間の隙間から食み出したモジュール接続ケーブルを引き戻すための作業が不要となり、そのような引き戻し作業によるモジュール接続ケーブルの破損が防止される。また、モジュール接続ケーブルの食み出しが防止され、モジュール接続ケーブルの直射日光による劣化が防止される。
【００７０】
（実施形態２）
実施形態２による太陽電池ユニット１０は、サイドカバー７０の構成が実施形態１による太陽電池ユニット１０と異なっている。実施形態２による太陽電池ユニット１０のその他の構成は、実施形態１による太陽電池ユニット１０の構成と同様となっている。
【００７１】
図８は、実施形態２による太陽電池ユニット１０のサイドカバー７０の構成を例示している。実施形態２のサイドカバー７０は、突出部７２の構成が実施形態１のサイドカバー７０と異なっている。また、実施形態２のサイドカバー７０の突出部７２は、壁部１２の縦溝１０２に挿入される。実施形態２のサイドカバー７０のその他の構成は、実施形態１のサイドカバー７０の構成と同様となっている。
【００７２】
図８に示すように、実施形態２では、突出部７２は、弾性を有し、自身の一部が折り返されることで形成された板バネ形状部分を含んでいる。この板バネ形状部分は、圧縮された後に復元して壁部１２の凹部１００に固定される。この例では、突出部７２は、その先端部が折り返されて板バネ形状を形成している。そして、突出部７２は、その板バネ形状が押し縮められて壁部１２の凹部１００（この例では縦溝１０２）に挿入され、その板バネ形状の復元力により壁部１２の凹部１００に固定される。
【００７３】
以上のように、実施形態２による太陽電池ユニット１０では、サイドカバー７０の突出部７２が板バネ形状の復元力により壁部１２の凹部１００に固定される。このような構成により、サイドカバー７０の仮止めが強固となるので、サイドカバー７０の落下の可能性が低減される。
【００７４】
（実施形態３）
実施形態３による太陽電池ユニット１０は、サイドカバー７０の構成が実施形態１による太陽電池ユニット１０と異なっている。実施形態３による太陽電池ユニット１０のその他の構成は、実施形態１による太陽電池ユニット１０の構成と同様となっている。
【００７５】
図９は、実施形態３による太陽電池ユニット１０のサイドカバー７０の構成を例示している。実施形態３のサイドカバー７０は、突出部７２の構成が実施形態１のサイドカバー７０と異なっている。実施形態３のサイドカバー７０のその他の構成は、実施形態１のサイドカバー７０の構成と同様となっている。
【００７６】
図９に示すように、突出部７２は、壁部１２の凹部１００の内面に引っ掛かる爪状部分を含んでいる。この例では、突出部７２は、その先端部が壁部１２の凹部１００（この例では横溝１０１）の内面に引っ掛かるように爪状に形成されている。
【００７７】
以上のように、実施形態３による太陽電池ユニット１０では、突出部７２が壁部１２の凹部１００（この例では横溝１０１）に引っ掛かる。このような構成により、サイドカバー７０の仮止めが強固となるので、サイドカバー７０の落下の可能性が低減される。
【００７８】
（その他の実施形態）
以上の説明では、第１方向が上下方向である場合を例に挙げたが、これに限らず、第１方向は、例えば、上下方向から前後方向および/または左右方向に傾斜した状態で壁部１２の下端から上端へ向かう方向であってもよい。第２方向および第３方向についても同様である。
【００７９】
また、以上の説明では、太陽電池モジュールの数が１０である場合を例に挙げたが、これに限らず、太陽電池モジュールの数は、１０よりも少なくてもよいし、１０よりも多くてもよい。壁部１２に設けられるセンタ取付具１５およびサイド取付具１６の数や、太陽電池ユニット１０の他の構成要素（例えばサイド縦軸材３２を構成するサイド柱部材３２０など）の数についても、同様である。
【００８０】
以上の実施形態および変形例を適宜組み合わせて実施してもよい。以上の実施形態および変形例は、本質的に好ましい例示であって、本発明、その適用物、あるいはその用途の範囲を制限することを意図するものではない。
【符号の説明】
【００８１】
１０          太陽電池ユニット
１１          建築物
１２          壁部
１３          基礎
１００        凹部
１０１        横溝
１０２        縦溝
２００        太陽電池アレイ
２０          太陽電池モジュール
３０          架台
３１          センタ縦軸材
３２          サイド縦軸材
３３          補強部材
３４          支持部材
４０          下縁カバー
５０          フロントカバー
６０          上縁カバー
７０          サイドカバー（カバー）
７１          カバー本体
７２          突出部
７３          通気孔
【図１】
2020072612.tif 000003
【図２】
2020072612.tif 000004
【図３】
2020072612.tif 000005
【図４】
2020072612.tif 000006
【図５】
2020072612.tif 000007
【図６】
2020072612.tif 000008
【図７】
2020072612.tif 000009
【図８】
2020072612.tif 000010
【図９】
2020072612.tif 000011